(57)【要約】【課題】処理負荷および利用者の手間をより軽減させながら、メールの内容を容易に理解させることが可能な情報機器を提供する。【解決手段】通信部５１は、メールを受信する。記憶部５２は、送信済みのメールである送信済みメールを記憶する。判断部５３は、通信部５１が受信したメールである受信メールに基づいて、その受信メールが送信済みメールに対して応答したメールである応答メールか否かを判断する。受信メールが応答メールの場合、検索部５４は、送信済みメールのうち予め定められた検索条件に適合した送信済みメールを、受信メールに関連する関連メールとして記憶部から検索する。【選択図】図９
2014153992.tif 000002
【特許請求の範囲】
【請求項１】
送信済みのメールである送信済みメールを記憶する記憶部と、
メールを受信する通信部と、
前記通信部が受信したメールである受信メールに基づいて、当該受信メールが前記送信済みメールに対して応答されたメールである応答メールか否かを判断する判断部と、
前記受信メールが前記応答メールの場合、前記送信済みメールのうち予め定められた検索条件に適合した送信済みメールを、前記受信メールに関連する関連メールとして前記記憶部から検索する検索部と、を有する情報機器。
【請求項２】
前記判断部は、前記受信メールの件名に所定の文字列が含まれている場合、前記受信メールが前記応答メールであると判断し、前記受信メールの件名に前記文字列が含まれていない場合、前記受信メールが前記応答メールでないと判断する、請求項１に記載の情報機器。
【請求項３】
前記判断部は、前記受信メールが他のメールを引用した引用メールか否かを判断し、
前記検索部は、前記受信メールが前記応答メールであり、かつ、前記受信メールが前記引用メールでない場合、前記関連メールを検索する、請求項１または２に記載の情報機器。
【請求項４】
前記判断部は、前記受信メールに所定の引用マークが含まれる場合、前記受信メールが前記引用メールであると判断し、前記受信メールに前記引用マークが含まれない場合、前記受信メールが前記引用メールでないと判断する、請求項３に記載の情報機器。
【請求項５】
前記判断部は、前記受信メールの件名が空欄か否かを判断し、前記受信メールの件名が空欄の場合、前記受信メールを前記応答メールとみなす、請求項１ないし４のいずれか１項に記載の情報機器。
【請求項６】
表示部と、
前記受信メールと前記関連メールとを対応付けて前記表示部に表示する表示制御部と、をさらに有する請求項１ないし５のいずれか１項に記載の情報機器。
【請求項７】
前記表示制御部は、前記関連メールが一つの場合、前記受信メールと前記関連メールとを一緒に表示する、請求項６に記載の情報機器。
【請求項８】
前記表示制御部は、前記関連メールが複数の場合、前記受信メールと前記関連メールのリストとを一緒に表示する、請求項６または７に記載の情報機器。
【請求項９】
送信済みのメールである送信済みメールを記憶し、
メールを受信し、
前記受信されたメールである受信メールに基づいて、当該受信メールが前記送信済みメールに対して応答したメールである応答メールか否かを判断し、
前記受信メールが前記応答メールの場合、前記送信済みメールのうち予め定められた検索条件に適合した送信済みメールを、前記受信メールに関連する関連メールとして検索する、検索方法。
【請求項１０】
送信済みのメールである送信済みメールを記憶する手順と、
メールを受信する手順と、
前記受信されたメールである受信メールに基づいて、当該受信メールが前記送信済みメールに対して応答したメールである応答メールか否かを判断する手順と、
前記受信メールが前記応答メールの場合、前記送信済みメールのうち予め定められた検索条件に適合した送信済みメールを、前記受信メールに関連する関連メールとして検索する手順と、をコンピュータに実行させるプログラム。
【発明の詳細な説明】
【技術分野】
【０００１】
本発明は、送信済みメールの検索を行う情報機器に関する。
【背景技術】
【０００２】
電子メールやショートメッセージなどのメールは、相手とのコミュニケーションを図るコミュニケーションツールとして一般的に使用されている。メールは、通話ができない状況でも、相手に意思や情報を伝えることができるなど、時間や場所にとらわれずに、コミュニケーションを図ることができる便利なツールである。
【０００３】
携帯電話機のようなメールの送受信を行う情報機器には、受信したメールを返信する際に、その返信メールに受信メールの文章を引用する引用機能を備えたものが多い。ところが、受信メールの文章を引用すると、返信メールの文章が長くなって、煩わしさが生じたり、返信メールのパケット量が増加したりしてしまうため、引用機能は使用されないことがある。
【０００４】
しかしながら、引用機能が使用されないと、利用者が送信した送信メールの内容が、相手からの返信メールには記載されていないこととなるため、利用者は返信メールがどのような内容の送信メールに対する応答なのかを把握することができず、返信メールの内容を理解することが困難になる場合がある。特に利用者が複数の相手に対して別々の内容のメールを送信した場合、利用者は返信メールがどの内容の送信メールに対する応答かを把握することが難しい。
【０００５】
この場合、利用者は、返信メールの件名から元の送信メールの内容を推察できることもあるが、メールの返信が何度も繰り返されると、件名には、「Ｒｅ：Ｒｅ：」などの長い文字列が付けられてしまい、元の件名が閲覧しづらくなってしまう。また、メールの件名が空欄の場合、返信メールの件名からは元の送信メールの内容を推察することができない。
【０００６】
上記のように返信メールの内容を理解することが困難な場合、送信済みのメールを保存したフォルダなどから、返信メールに関連するメールを探すなどの手間がかかる操作が行われていた。
【０００７】
これに対して特許文献１には、電子メールが表示されると、その表示された電子メールに関連するキーワードを記憶し、そのキーワードに基づいて、表示された電子メールに関連する検索対象電子メールを検索する無線通信端末が記載されている。この無線通信端末では、検索対象電子メールが自動的に検索されるので、利用者が手間のかかる操作を行わなくてもよくなる。
【０００８】
また、特許文献２には、電子メールが表示されている間に、利用者が条件を指定する操作を行うと、その条件に適合した他の電子メールを検索して表示する携帯端末が記載されている。この携帯端末では、利用者は条件を指定する操作を行うだけでよいので、利用者の手間を軽減することができる。
【先行技術文献】
【特許文献】
【０００９】
【特許文献１】特開２００３−１０８４８６号公報
【特許文献２】特開２００４−１７８２９４号公報
【発明の概要】
【発明が解決しようとする課題】
【００１０】
しかしながら、特許文献１に記載の無線通信端末では、電子メールを表示するたびに、その電子メールに関連する電子メールを検索するので、処理負荷が大きいという問題がある。
【００１１】
また、特許文献２に記載の携帯端末では、利用者が条件を指定する操作を行った場合に、他の電子メールの検索が実行されるので、電子メールを表示するたびに、その電子メールに関連する電子メールの検索を行わずに済むので、処理負荷を軽減することができる。しかしながら、利用者が条件を指定する操作を行わなければならないため、利用者の手間を十分に軽減することができない。
【００１２】
本発明の目的は、処理負荷および利用者の手間を軽減させながら、メールの内容を容易に理解させることが可能な情報機器、検索方法およびプログラムを提供することである。
【課題を解決するための手段】
【００１３】
本発明による情報機器は、送信済みのメールである送信済みメールを記憶する記憶部と、メールを受信する通信部と、前記通信部が受信したメールである受信メールに基づいて、当該受信メールが前記送信済みメールに対して応答したメールである応答メールか否かを判断する判断部と、前記受信メールが前記応答メールの場合、前記送信済みメールのうち予め定められた検索条件に適合した送信済みメールを、前記受信メールに関連する関連メールとして前記記憶部から検索する検索部と、を有する。
【００１４】
本発明による検索方法は、送信済みのメールである送信済みメールを記憶し、メールを受信し、前記受信されたメールである受信メールに基づいて、当該受信メールが前記送信済みメールに対して応答したメールである応答メールか否かを判断し、前記受信メールが前記応答メールの場合、前記送信済みメールのうち予め定められた検索条件に適合した送信済みメールを、前記受信メールに関連する関連メールとして検索する。
【００１５】
本発明によるプログラムは、送信済みのメールである送信済みメールを記憶する手順と、メールを受信する手順と、前記受信されたメールである受信メールに基づいて、当該受信メールが前記送信済みメールに対して応答したメールである応答メールか否かを判断する手順と、前記受信メールが前記応答メールの場合、前記送信済みメールのうち予め定められた検索条件に適合した送信済みメールを、前記受信メールに関連する関連メールとして検索する手順と、をコンピュータに実行させる。
【発明の効果】
【００１６】
本発明によれば、処理負荷および利用者の手間を軽減させながら、メールの内容を容易に理解させることが可能になる。
【図面の簡単な説明】
【００１７】
【図１】本発明の第１の実施形態の情報機器の構成を示すブロック図である。
【図２】本発明の第１の実施形態の情報機器の動作の一例を説明するためのフローチャートである。
【図３】受信メールのリストの一例を示す図である。
【図４】受信メールの一例を示す図である。
【図５】送信済みメールのリストの一例を示す図である。
【図６】本発明の第１の実施形態の情報機器の動作の他の例を説明するためのフローチャートである。
【図７】受信メールと送信済みメールの表示例を示す図である。
【図８】受信メールに対する返信メールの表示例を示す図である。
【図９】本発明の第３の実施形態の情報機器の構成を示すブロック図である。
【図１０】本発明の第３の実施形態の情報機器の動作の一例を説明するためのフローチャートである。
【発明を実施するための形態】
【００１８】
以下、本発明の実施形態について図面を参照して説明する。なお、以下の説明では、同じ機能を有するものには同じ符号を付け、その説明を省略する場合がある。
【００１９】
図１は、本発明の第１の実施形態の情報機器の構成を示すブロック図である。図１に示す情報機器１は、通信部１１と、記憶部１２と、表示部１３と、入力部１４と、制御部１５とを有する。なお、情報機器１は、例えば、携帯電話機、スマートフォン、ゲーム機、ＰＣ（Personal computer）、ＰＤＡ（Personal Digital Assistants：携帯情報端末）、メールサーバ、デジタルカメラまたはデジタルテレビなどである。ここでＰＣは、ノート型ＰＣやタブレット型ＰＣなどを含む。
【００２０】
通信部１１は、不図示の外部装置と通信を行い、メールのような種々の情報の送受信を行う。
【００２１】
記憶部１２は、通信部１１から送信されたメールである送信済みメールと、通信部１１が受信したメールである受信メールとを記憶する。
【００２２】
表示部１３は、種々の情報を表示する。なお、表示部１３は、情報を表示するための表示画面を複数備えていてもよい。
【００２３】
入力部１４は、情報機器１の利用者から種々の情報を受け付ける。例えば、入力部１４は、利用者から受信メールの閲覧を要求する閲覧要求などを受け付ける。
【００２４】
制御部１５は、情報機器１の各部と通信を行い、情報機器１全体を制御する。具体的には、制御部１５は、判断部２１と、検索部２２と、表示制御部２３とを有する。
【００２５】
判断部２１は、通信部１１が受信した受信メールに基づいて、その受信メールが送信済みメールに対して応答されたメールである応答メールか否かを判断する。
【００２６】
例えば、判断部２１は、受信メールの件名に所定の文字列が含まれるか否かを判断することで、受信メールが応答メールか否かを判断する。この場合、判断部２１は、受信メールの件名に所定の文字列が含まれている場合、受信メールが応答メールであると判断し、受信メールの件名に所定の文字列が含まれていない場合、受信メールが応答メールでないと判断する。
【００２７】
所定の文字列は、受信メールが応答メールであることを示す文字列である。例えば、所定の文字列は、受信メールが送信済みメールに対して返信された返信メールであることを示す返信ヘッダ（例えば、「Ｒｅ：」）や、受信メールが送信済みメールを転送した転送メールであることを示す転送ヘッダ（例えば、「Ｆｗ：」）である。
【００２８】
また、判断部２１は、受信メールが他のメールの内容が引用されている引用メールか否かをさらに判断してもよい。
【００２９】
例えば、判断部２１は、受信メールに引用を示す所定の引用マーク（例えば、＞）が含まれるか否かを判断することで、受信メールが引用メールか否かを判断する。この場合、判断部２１は、受信メールに引用マークが含まれる場合、受信メールが引用メールであると判断し、受信メールに引用マークが含まれない場合、受信メールが引用メールでないと判断する。
【００３０】
また、他のメールの引用は、通常、受信メールの内容の後に空白行を空けて記載されるので、判断部２１は、受信メールの文章の中に所定数以上の空白行があるか否かを判断し、所定数以上の空白行がある場合、受信メールを引用メールと判断し、所定数以上の空白行がない場合、受信メールが引用メールでないと判断してもよい。
【００３１】
以下では、判断部２１は、受信メールが応答メールか否かだけでなく、受信メールが引用メールか否かも判断するものとする。
【００３２】
受信メールが応答メールであり、かつ、受信メールが引用メールでない場合、検索部２２は、送信済みメールのうち、予め定められた検索条件に適合した送信済みメールを、受信メールに関連する関連メールとして記憶部１２から検索する。
【００３３】
検索条件は、例えば、受信メールに関連するキーワードを有することである。受信メールに関連するキーワードは、例えば、受信メールの件名から所定の文字列を除いた文字列、受信メールの送信元のアドレス、氏名および電話番号などである。
【００３４】
なお、キーワードが複数ある場合、検索条件は、その複数のキーワードのうち予め定められた数以上のキーワードを有することでもよい。また、検索条件に、キーワードを有する場所が定められていてもよい。例えば、検索条件は、受信メールの件名から所定の文字列を除いた文字列を件名に有することなどでもよい。
【００３５】
例えば、検索条件が、受信メールの件名から所定の文字列を除いた文字列、および、受信メールの送信元のアドレスの両方を含むことである場合、検索部２２は、受信メールの件名から所定の文字列を除いた文字列を抽出し、かつ、受信メールの送信元からアドレスを抽出する。そして、検索部２２は、その抽出した文字列およびアドレスの両方を有する送信済みメールを関連メールとして検索する。
【００３６】
表示制御部２３は、受信メールと、検索部２２で検索された関連メールとを対応付けて表示部１３に表示する。具体的には、関連メールが一つの場合、表示制御部２３は、受信メールと関連メールとを一緒に表示する。また、関連メールが複数の場合、表示制御部２３は、受信メールと関連メールのリストとを一緒に表示する。
【００３７】
次に情報機器１の動作について説明する。
【００３８】
図２は、メールを受信した際の情報機器１の動作を説明するためのフローチャートである。
【００３９】
先ず、情報機器１の通信部１１は、メールを受信すると、その受信したメールである受信メールを表示制御部２３に出力する。表示制御部２３は、受信メールを受け付けると、その受信メールを記憶部１２に記憶し、その後、記憶部１２に記憶されている受信メールのリストを生成して表示部１３に表示する（ステップＳ２０１）。
【００４０】
図３は、受信メールのリストの一例を示す図である。図３では、表示部１３の表示画面１３Ａに、受信メールのリストである受信済みメールリスト３０１が表示されている。受信済みメールリスト３０１は、記憶部１２に記憶されている受信メールの件名および受信日時を並べたものである。なお、受信済みメールリスト３０１には、返信メールや転送メールなども含まれている。
【００４１】
ステップＳ２０１にて受信メールのリストを表示すると、表示制御部２３は、ステップ２０１で記憶部１２に記憶した受信メールを判断部２１に通知する。判断部２１は、その通知された受信メールが応答メールか否かを判断する（ステップＳ２０２）。
【００４２】
図４は、受信メールの一例を示す図である。図４では、表示部１３の表示画面１３Ａに受信メール４０１が表示されている状態が示されている。受信メール４０１は、発信元（From）が「てすと太郎」のメールであり、件名（Subject）には、所定の文字列である「Ｒｅ：」が含まれる。したがって、図４の例では、判断部２１は、受信メール４０１が応答メールであると判断する。
【００４３】
ステップＳ２０２で受信メールが応答メールではないと判断した場合、判断部２１は、処理を終了する。一方、ステップＳ２０２で受信メールが応答メールであると判断した場合、判断部２１は、その受信メールを確認して、その受信メールが引用メールか否かを判断する（ステップＳ２０３）。例えば、図４に示した受信メール４０１の場合、受信メール４０１には引用マークや空白行がないため、判断部２１は、受信メール４０１が引用メールでないと判断する。
【００４４】
ステップＳ２０３で受信メールが引用メールと判断した場合、判断部２１は、利用者は元のメールの内容を確認することができると判断して、処理を終了する。一方、ステップＳ２０３で受信メールが引用メールでないと判断した場合、判断部２１は、利用者は元のメールの内容を確認することができないと判断して、受信メールと、受信メールと関連する関連メールを検索する旨の検索要求を検索部２２に通知する。検索部２２は、受信メールおよび検索要求を受け付けると、その受信メールに基づいて、検索条件に適合した送信済みメールである関連メールを記憶部１２から検索する（ステップＳ２０４）。
【００４５】
例えば、図５に示す送信済みメールリスト５０１に含まれる送信済みメールが記憶部１２に記憶されていたとする。なお、図５では、表示部１３の表示画面１３Ａに、送信済みメールのリストである送信済みメールリスト５０１が表示されている状態が示されている。送信済みメールリスト５０１は、記憶部１２に記憶されている送信メールの件名および送信日時を並べたものである。なお、送信済みメールリスト５０１には、返信メールや転送メールなども含まれている。
【００４６】
また、受信メールが図４に示した受信メール４０１であり、検索条件が受信メールの件名から所定の文字列を除いた文字列を含むことであるとする。この場合、検索部２２は、受信メール４０１の件名「Ｒｅ：連絡です！」から返信ヘッダ「Ｒｅ：」を除いた「連絡です！」を件名とする当日の８：４０に送信していた送信済みメール５０２を関連メールとして検索する。
【００４７】
ステップＳ２０４において関連メールの検索が終了すると、検索部２２は、関連メールが存在したか否かを判断する（ステップＳ２０５）。
【００４８】
関連メールが存在しない場合、検索部２２は、処理を終了する。一方、関連メールが存在する場合、検索部２２は、関連メールが複数あるか否かを判断する（ステップＳ２０６）
関連メールが１つの場合、検索部２２は、その関連メールが受信メールの元の送信済みメールであると判断する。そして、検索部２２は、その関連メールを特定するＩＤ（Identification：識別子）を受信メールに対応付けて記憶部１２に記憶し（ステップＳ２０７）、処理を終了する。
【００４９】
一方、関連メールが複数の場合、それらの関連メールが受信メールの元の送信済みメールの候補と判断する。そして、検索部２２は、それらの関連メールを特定するＩＤのそれぞれを受信メールに対応付けて記憶部１２に記憶するとともに、受信メールに対して元の送信済みメールの候補が複数あることを示すリスト表示フラグを立て（ステップＳ２０８）、処理を終了する。
【００５０】
図６は、受信メールを閲覧する際の情報機器１の動作を説明するためのフローチャートである。
【００５１】
入力部１４は、受信メールの閲覧を要求する閲覧要求を受け付けると、その閲覧要求を表示制御部２３に出力する（ステップＳ３０１）。
【００５２】
表示制御部２３は、閲覧要求を受け付けると、その閲覧要求にて閲覧が要求された受信メールを記憶部１２から取得し、その受信メールに送信済みメールのＩＤが付けられているか否かを判断して、受信メールに関連する関連メールがあるか否かを判断する（ステップＳ３０２）。
【００５３】
受信メールに送信済みメールのＩＤが付けられていない場合、表示制御部２３は、関連メールがないと判断して、取得した受信メールを表示部１３に表示し（ステップＳ３０３）、処理を終了する。
【００５４】
一方、受信メールに送信済みメールのＩＤが付けられている場合、表示制御部２３は、取得した受信メールに対してリスト表示フラグが立っているか否かを判断する（ステップ３０４）。
【００５５】
リスト表示フラグが立っている場合、表示制御部２３は、記憶部１２に記憶された送信済みメールのうち、取得した受信メールに付けられたＩＤにて特定される送信済みメールである関連メールを確認して、その関連メールのリストを生成する。そして、表示制御部２３は、受信メールと関連メールのリストとを表示部１３に表示し（ステップＳ３０５）、処理を終了する。
【００５６】
例えば、表示制御部２３は、受信メールと関連メールのリストとを並べて表示する。また、表示部１３が複数の表示画面を有する場合、表示制御部２３は、ある表示画面に受信メールを表示し、別の表示画面に関連メールのリストを表示してもよい。
【００５７】
一方、リスト表示フラグが立っていない場合、表示制御部２３は、取得した受信メールに付けられたＩＤにて特定される送信済メールである関連メールを記憶部１２から取得し、その取得した関連メールおよび受信メールを表示部１３に表示する（ステップＳ３０６）。
【００５８】
例えば、表示制御部２３は、受信メールと関連メールとを並べて表示する。また、表示部１３が複数の表示画面を有する場合、表示制御部２３は、ある表示画面に、受信メールを表示し、別の表示画面に関連メールを表示してもよい。
【００５９】
図７は、表示部１３が２つの表示画面を有する場合における、受信メールと関連メールの表示例を示す図である。図７の例では、表示部１３は、表示画面１３Ａおよび１３Ｂを有する。また、表示画面１３Ａには、受信メール４０１が表示され、表示画面１３Ｂには、関連メールである送信済みメール４０２が表示されている。この場合、例えば、図８に示すように、利用者は、送信済みメール４０２を確認しながら、受信メール４０１に対する返信メール４０３を作成することができる。
【００６０】
以上説明したように本実施形態によれば、受信メールが応答メールか否かが判断され、受信メールが応答メールの場合に、受信メールに関連する関連メールが検索される。このため、受信メールの元の送信済みメールを確認する必要があるときだけ、関連メールの検索を行うことが可能になるため、メールを受信したり、受信メールを表示したりするたびに関連メールの検索を行う必要がなくなる。また、利用者が検索条件を指定する必要もない。したがって、処理負荷および利用者の手間を軽減させながら、メールの内容を容易に理解させることが可能になる。
【００６１】
また、本実施形態では、受信メールの件名に所定の文字列が含まれている場合、受信メールが応答メールであると判断される。この場合、受信メールが応答メールであれば、通常、その受信メールの件名に「Ｒｅ：」などの所定の文字列が含まれるため、受信メールが応答メールか否かをより確実に判断することが可能になる。
【００６２】
また、本実施形態では、受信メールが応答メールであり、かつ、受信メールが他のメールを引用した引用メールでない場合に、関連メールが検索される。この場合、関連メールがなくても内容を把握しやすい引用メールの場合に検索を行う必要がなくなるので、処理負荷をより軽減させることが可能になる。
【００６３】
また、受信メールと関連メールとが対応付けられて表示されるので、関連メールを閲覧しながら、受信メールの内容を把握したり、受信メールに対する返信メールを作成したりすることが可能になる。なお、返信メールを作成する際には、関連メール内の記載のコピーやペーストも容易に行うことが可能になる。
【００６４】
したがって、例えば、関連メールの確認が必要なときだけ、関連メールの内容やリストを確認することが可能になるため、メールを受信したり表示したりするたびに、関連メールを検索させたり、受信メールと閲覧メールとを同時または交互に表示させたりするような操作を行う必要がなくなる。このため、特にスマートフォンや携帯電話機などの表示画面が小さい情報機器において、上記の操作を小さい表示画面を見ながら行う必要がないため、情報機器の利便性を向上させることが可能になる。
【００６５】
次に第２の実施形態について説明する。
【００６６】
本実施形態の情報機器１の構成は、図１に示した構成と同じであるが、情報機器１には、受信メールの件名が空欄の場合にも、関連メールを検索する機能が追加されている。
【００６７】
具体的には、判断部２１は、さらに受信メールの件名が空欄か否かを判断し、その件名が空欄の場合、受信メールが応答メールであるとみなす。例えば、図２を用いて説明した動作において、ステップＳ２０２とステップＳ２０３との間に、判断部２１は、受信メールの件名が空欄か否かを判断する。そして、判断部２１は、件名が空欄の場合、受信メールが応答メールであるとみなして、ステップＳ２０３に進み、件名が空欄でない場合、処理を終了する。なお、この場合、ステップＳ２０３以降の処理、および、図６を用いて説明したステップＳ３０１〜Ｓ３０６の処理と同様な処理が行われる。
【００６８】
本実施形態によれば、件名が空欄の場合、受信メールが応答メールとみなされるので、受信メールが引用メールでなければ、検索部２２にて関連メールが検索されることとなる。したがって、「Ｒｅ：」などの所定の文字列が通信相手（受信メールの送信元）に消された場合などでも、関連メールを適確に検索することが可能になる。
【００６９】
次に第３の実施形態について説明する。
【００７０】
図９は、本実施形態の情報機器の構成を示すブロック図である。図９に示す情報機器５は、通信部５１と、記憶部５２と、判断部５３と、検索部５４とを有する。
【００７１】
通信部５１は、メールを受信する。
【００７２】
記憶部５２は、送信済みのメールである送信済みメールを記憶する。
【００７３】
判断部５３は、通信部５１が受信したメールである受信メールに基づいて、その受信メールが送信済みメールに対して応答したメールである応答メールか否かを判断する。
【００７４】
受信メールが応答メールの場合、検索部５４は、送信済みメールのうち予め定められた検索条件に適合した送信済みメールを、受信メールに関連する関連メールとして記憶部から検索する。
【００７５】
図１０は、本実施形態の情報機器５の動作を説明するためのフローチャートである。
【００７６】
先ず、情報機器５の通信部５１は、メールを受信すると、その受信したメールである受信メールを判断部５３に出力する（ステップＳ１００１）。
【００７７】
判断部５３は、受信メールを受け付けると、その受信メールに基づいて、その受信メールが応答メールか否かを判断する（ステップＳ１００２）。
【００７８】
受信メールが応答メールでない場合、判断部５３は、処理を終了する。
【００７９】
一方、受信メールが応答メールの場合、判断部５３は、受信メールを検索部５４に出力する。検索部５４は、受信メールを受け付けると、その受信メールの関連メールを記憶部５２から検索し（ステップＳ１００３）、処理を終了する。
【００８０】
以上説明したように本実施形態でも、受信メールが応答メールか否かが判断され、受信メールが応答メールの場合に、受信メールに関連する関連メールが検索されるため、処理負荷および利用者の手間を軽減させながら、メールの内容を容易に理解させることが可能になる。
【００８１】
なお、以上説明した各実施形態において、図示した構成は単なる一例であって、本発明はその構成に限定されるものではない。
【００８２】
例えば、情報機器１および５の機能は、その機能を実現するためのプログラムを、コンピュータにて読み取り可能な記録媒体に記録して、この記録媒体に記録されたプログラムをコンピュータに読み込ませ実行させることで、実現されてもよい。
【符号の説明】
【００８３】
１、５        情報機器
１１、５１    通信部
１２、５２    記憶部
１３          表示部
１４          入力部
１５          制御部
２１、５３    判断部
２２、５４    検索部
２３          表示制御部
【図１】
2014153992.tif 000003
【図２】
2014153992.tif 000004
【図３】
2014153992.tif 000005
【図４】
2014153992.tif 000006
【図５】
2014153992.tif 000007
【図６】
2014153992.tif 000008
【図７】
2014153992.tif 000009
【図８】
2014153992.tif 000010
【図９】
2014153992.tif 000011
【図１０】
2014153992.tif 000012